(57)【要約】【課題】過酸化水素を高濃度に含有する被処理液中の過酸化水素を迅速かつ低コストに分解処理することが可能な過酸化水素の分解処理方法。【解決手段】過酸化水素濃度が５ｇ／Ｌ以上の被処理液に対して、Ａｓｐｅｒｇｉｌｌｕｓ属に属する微生物から生産されるカタラーゼを用いることを特徴とする過酸化水素の分解方法。上記Ａｓｐｅｒｇｉｌｌｕｓ属に属する微生物が、Ａｓｐｅｒｇｉｌｌｕｓ  ｎｉｇｅｒであることが好ましい。また、上記被処理液に添加されたカタラーゼの濃度ｘと、該カタラーゼが有する酵素活性ｚと、上記被処理液の過酸化水素濃度ｙが、２５０≦ｘｚ／ｙ＜２５００を満足することが好ましい。【選択図】なし【特許請求の範囲】
【請求項１】
過酸化水素濃度が５ｇ／Ｌ以上の被処理液に対して、Ａｓｐｅｒｇｉｌｌｕｓ属に属する微生物から生産されるカタラーゼを用いることを特徴とする過酸化水素の分解処理方法。
【請求項２】
上記Ａｓｐｅｒｇｉｌｌｕｓ属に属する微生物が、Ａｓｐｅｒｇｉｌｌｕｓ  ｎｉｇｅｒであることを特徴とする請求項１に記載の過酸化水素の分解処理方法。
【請求項３】
上記被処理液に添加されたカタラーゼの濃度ｘと、該カタラーゼが有する酵素活性ｚと、上記被処理液の過酸化水素濃度ｙが、下記（１）式を満足することを特徴とする請求項１または２に記載の過酸化水素の分解処理方法。
２５０≦ｘｚ／ｙ＜２５００      （１）
【発明の詳細な説明】
【技術分野】
【０００１】
本発明は、過酸化水素の分解処理方法に関する。
【背景技術】
【０００２】
過酸化水素は、洗浄効果、殺菌効果に優れ、かつ反応後は無害な酸素と水とに分解される環境負荷の少ない薬品であるため、広く製造工程における洗浄剤、殺菌剤として使用されている。例えば、半導体装置の製造工場では、ウエハの洗浄などの様々な工程で過酸化水素が用いられている。
洗浄、殺菌に用いられた過酸化水素は、製造工程から過酸化水素含有廃液として排出される。しかしながら、過酸化水素には殺菌力があり、かつＣＯＤの原因物質になることから、該廃液をそのまま公共用水域に放流することはできない。したがって、該廃液中の過酸化水素は何らかの方法によって分解処理する必要がある。
従来、過酸化水素の分解には、重亜硫酸Ｎａなどの還元剤を使用する方法が用いられてきた。しかしながら、重亜硫酸Ｎａは過酸化水素と等モル反応のため、過酸化水素含有廃液（以下、被処理液と称することがある。）中の過酸化水素濃度が高濃度である場合には、多量の重亜硫酸Ｎａを使用しなければならず、処理コストが高くなるという欠点があった。
【０００３】
過酸化水素を分解する他の方法としては、酵素の一種であるカタラーゼを用いる方法がある（特許文献１）。カタラーゼは酵素、すなわち生体触媒であるため、カタラーゼ１分子で多数の過酸化水素分子を分解することができる。ゆえに、カタラーゼは、重亜硫酸Ｎａより少ない添加量で過酸化水素を分解処理することができる。カタラーゼは過酸化水素を特異的に分解する酵素であり、酸素呼吸を行う生物は、その量に違いはあれども体内にカタラーゼを有している。
カタラーゼを工業的に生産するには、生産効率の点から、カタラーゼの生産能力に優れた微生物を培養して、その培養液からカタラーゼを抽出する方法が好ましい。微生物由来のカタラーゼとしては、細菌類及び真菌類によって生産されるカタラーゼを挙げることができ、これらが広く用いられている。
これらの微生物由来のカタラーゼは、生産する微生物の種類によって異なった性質を有することが知られている。例えば、Ａｓｐｅｒｇｉｌｌｕｓ  ｎｉｇｅｒから生産されるカタラーゼは、ｐＨ２〜７で優れた過酸化水素の分解処理能力を示す。Ｍｉｃｒｏｃｏｃｃｕｓ  ｌｙｓｏｄｅｉｋｔｉｃｕｓから生産されるカタラーゼは、ｐＨ７〜９で過酸化水素に対する優れた分解処理能力を示す（非特許文献１）。Ｔｈｅｒｍｏｍｙｃｅｓ  ｌａｎｕｇｉｎｏｓｕｓから生産されるカタラーゼは、高温の環境下でも過酸化水素に対する優れた分解処理能力を示す（特許文献２）。したがって、これらのカタラーゼは被処理液の種類や状況に応じて使い分けられている。
【特許文献１】特公平７−２２７５２号公報
【特許文献２】特開平１０−２５７８８３号公報
【非特許文献１】酵素利用ハンドブックｐ.４０４、地人書館、初版第３刷、昭和６０年３月１５日発刊
【発明の開示】
【発明が解決しようとする課題】
【０００４】
しかしながら、被処理液中の過酸化水素が高濃度である場合は、高濃度の過酸化水素によってカタラーゼの過酸化水素分解反応が阻害され、過酸化水素の分解処理能力が低下することが知られている。ゆえに、被処理液中の高濃度の過酸化水素を分解するためには、高濃度のカタラーゼを添加する必要があり、処理コストが高くなってしまうという問題点があった。
本発明は、上記事情に鑑みてなされたものであって、過酸化水素を高濃度に含有する被処理液中の過酸化水素を、迅速かつ低コストで分解処理することが可能な過酸化水素の分解処理方法を目的とする。
【課題を解決するための手段】
【０００５】
上記の課題を達成するために、本発明は以下の構成を採用した。
[１] 過酸化水素濃度が５ｇ／Ｌ以上の被処理液に対して、Ａｓｐｅｒｇｉｌｌｕｓ属に属する微生物から生産されるカタラーゼを用いることを特徴とする過酸化水素の分解処理方法。
[２] 上記Ａｓｐｅｒｇｉｌｌｕｓ属に属する微生物が、Ａｓｐｅｒｇｉｌｌｕｓ  ｎｉｇｅｒであることを特徴とする[１]に記載の過酸化水素の分解処理方法。
[３] 上記被処理液中における上記カタラーゼの添加濃度ｘと、該カタラーゼが有する酵素活性ｚとの積を、被処理液中の過酸化水素濃度ｙで割った値が、下記（１）式を満足することを特徴とする[１]または[２]に記載の過酸化水素の分解処理方法。
２５０≦ｘｚ／ｙ＜２５００      （１）
【発明の効果】
【０００６】
本発明の過酸化水素の分解処理方法によれば、高濃度の過酸化水素を含有する被処理液中の過酸化水素を、迅速かつ低コストに分解処理することができる。
【発明を実施するための最良の形態】
【０００７】
本発明者らは、上記課題について鋭意検討した結果、種々のカタラーゼのうち、真菌類に分類されるＡｓｐｅｒｇｉｌｌｕｓ属（アスペルギルス属、別称：コウジカビ属）に属する微生物から生産されるカタラーゼ（以下、Ａｓｐｅｒｇｉｌｌｕｓ属由来のカタラーゼと略することがある。）が、高濃度の過酸化水素に対して反応阻害を受けにくいことを見出して、本発明に至った。すなわち、本発明の過酸化水素の分解処理方法は、カタラーゼを用いた過酸化水素の分解処理方法であって、高濃度の過酸化水素を含有する被処理液、具体的には、過酸化水素濃度が５ｇ／Ｌ以上の被処理液に対して、Ａｓｐｅｒｇｉｌｌｕｓ属に属する微生物から生産されるカタラーゼを用いることを特徴とする。
【０００８】
カタラーゼは、酸素呼吸の過程で生物の体内に生じる過酸化水素を、水と酸素とに分解して無害化するための代謝酵素である。酸素呼吸を行う生物の大部分が、その体内にカタラーゼを有している。一般に、カタラーゼは生体内から抽出されても、過酸化水素分解作用を失活することはないため、工業的な目的に利用することができる。
【０００９】
カタラーゼの生産に用いられる微生物としては、Ａｓｐｅｒｇｉｌｌｕｓ属に属する微生物以外にも、例えばＭｉｃｒｏｃｏｃｃｕｓ属あるいはＴｈｅｒｍｏｍｙｃｅｓ属に属する微生物などを挙げることができる。しかしながら、Ｍｉｃｒｏｃｏｃｃｕｓ属あるいはＴｈｅｒｍｏｍｙｃｅｓ属由来のカタラーゼは、被処理液中の過酸化水素濃度が高濃度になると、高濃度の過酸化水素によって反応阻害を受け、過酸化水素の分解能力が著しく低下してしまう。具体的には５ｇ／Ｌ以上の過酸化水素濃度において、過酸化水素の分解能力の低下が顕著に見受けられる。その理由としては、カタラーゼを構成するタンパク質が、高濃度の過酸化水素により変性を生じ、その酵素活性が失活あるいは低下するものと推察される。
【００１０】
しかし、Ａｓｐｅｒｇｉｌｌｕｓ属由来のカタラーゼは、５ｇ／Ｌ以上といった高濃度の過酸化水素を含有する被処理液中においても反応阻害を受けにくく、他の微生物由来のカタラーゼに比べて、過酸化水素の分解処理能力を高いレベルで維持できる。ゆえに、Ａｓｐｅｒｇｉｌｌｕｓ属由来のカタラーゼを用いれば、高濃度に過酸化水素を含有する被処理液に対して、他の微生物由来のカタラーゼに比べ、顕著に少ない添加量であっても過酸化水素を迅速に分解処理できる。カタラーゼの添加量を少量とすることができるため、過酸化水素の分解処理を低コストに行うことができる。
なお、Ａｓｐｅｒｇｉｌｌｕｓ属由来のカタラーゼが、高濃度の過酸化水素に対する過酸化水素の分解能力を高いレベルで維持できる理由は明らかではないものの、過酸化水素による変性を生じにくいタンパク質構造を有しているものと推察される。
【００１１】
本発明に用いるカタラーゼは、Ａｓｐｅｒｇｉｌｌｕｓ属由来のカタラーゼであれば特に限定されないが、好ましくはＡｓｐｅｒｇｉｌｌｕｓ  ｎｉｇｅｒから生産されるカタラーゼである。特に、Ａｓｐｅｒｇｉｌｌｕｓ  ｎｉｇｅｒから生産されるカタラーゼは、ｐＨ２〜７で優れた過酸化水素の分解能力を示す上、高濃度の過酸化水素に対する高い分解処理能力を有している。
【００１２】
Ａｓｐｅｒｇｉｌｌｕｓ属由来のカタラーゼは市販されている。カタラーゼの市販品としては、例えば、オルソーブＥＺ−７５２Ｈ（オルガノ株式会社製）が挙げられる。
カタラーゼは、その酵素活性が維持できるよう、例えば、緩衝液などの溶液に溶解して保存されることが好ましい。また、カタラーゼには、その保存性を安定させるなどの目的で、塩化ナトリウム、エタノールなどの安定剤、過酸化水素分解助剤として重亜硫酸ナトリウムなどの還元剤に代表される各種添加剤を混合してもよい。
【００１３】
本発明の過酸化水素の分解処理方法においては、被処理液に添加されたカタラーゼの濃度ｘと、カタラーゼが有する酵素活性ｚと、被処理液の過酸化水素濃度ｙが、下記（１）式を満足することが好ましい。
２５０≦ｘｚ／ｙ＜２５００      （１）
ｘは被処理液に添加されたカタラーゼの濃度（ｇ／Ｌ）を示す。ｚは３０℃の温度条件下で１分間に１μｍｏｌの過酸化水素を分解するカタラーゼの質量を１ユニット（１ｕ）として、これからカタラーゼ１ｇのユニット数を換算した値であり、カタラーゼが有する過酸化水素の分解能力の強さであるカタラーゼの酵素活性（ｕ／ｇ）を表す。ｙは被処理液の過酸化水素濃度（ｇ／Ｌ）を示す。
なお、酵素活性ｚ（ｕ／ｇ）は、以下の方法により求めることができる。まず、直径３０ｍｍの試験管に１／１００ｍｏｌ／Ｌの過酸化水素溶液（ｐＨ７）５ｍｌを採取し、３０℃の恒温水槽に浸して恒温とする。その後、この過酸化水素溶液に、３０℃に保温したカタラーゼ溶液１ｇを加え、５分間反応させ、５分後の残留過酸化水素濃度を測定する。その測定結果から、カタラーゼによって分解された過酸化水素濃度を求めることで、酵素活性ｚ（ｕ／ｇ）を求めることができる。
Ａｓｐｅｒｇｉｌｌｕｓ属由来のカタラーゼは、（ｘｚ／ｙ）が上記式（１）の範囲内において、他の微生物由来のカタラーゼよりも特に顕著な過酸化水素分解率を示す。上記式（１）が２５０未満においては、カタラーゼの添加濃度ｘが低すぎるため、過酸化水素分解処理に要する時間が好ましい範囲に比べて長くなる。また、上記式（１）が２５００以上の場合は、カタラーゼの添加濃度ｘが高く、Ａｓｐｅｒｇｉｌｌｕｓ属由来のカタラーゼだけでなく、他の微生物由来のカタラーゼも高い過酸化水素分解率を示す。したがって、少ない添加量で過酸化水素を迅速に分解できるというＡｓｐｅｒｇｉｌｌｕｓ属由来のカタラーゼの優位性が発揮されにくくなる。
【００１４】
本発明の過酸化水素の分解処理方法によれば、過酸化水素濃度が高濃度（５ｇ／Ｌ以上）に含有される被処理液であっても、過酸化水素による反応阻害を受けにくいＡｓｐｅｒｇｉｌｌｕｓ属由来のカタラーゼを用いるため、カタラーゼを大量に添加する必要はなく、少ない添加量で迅速な過酸化水素の分解処理を行うことができる。また、カタラーゼの添加量が少なくて済むため、過酸化水素の分解処理を低コストに行うことができる。
【実施例】
【００１５】
以下に実施例を用いて本発明をさらに詳しく説明するが、本発明はこれらに限定されることはない。なお、本実施例で使用したカタラーゼの種類、及び残留過酸化水素の測定方法を以下に示す。
（使用したカタラーゼ）
実施例１、２、及び比較例３−１は、下記（１）に示す微生物由来のカタラーゼを用いた。比較例１−１、２−１、及び３−２は、（２）示す微生物由来のカタラーゼを用いた。比較例１−２、２−２、及び３−３は、（３）に示す微生物由来のカタラーゼを用いた。なお、これら３種類のカタラーゼの酵素活性ｚはいずれも５０，０００（ｕ／ｇ）の酵素活性を示すカタラーゼとした。
（１）Ａｓｐｅｒｇｉｌｌｕｓ  ｎｉｇｅｒ由来のカタラーゼ
（２）Ｔｈｅｒｍｏｍｙｃｅｓ  ｌａｎｕｇｉｎｏｓｕｓ由来のカタラーゼ
（３）Ｍｉｃｒｏｃｏｃｃｕｓ  ｌｙｓｏｄｅｉｋｔｉｃｕｓ由来のカタラーゼ
【００１６】
（残留過酸化水素の測定方法）
残留過酸化水素濃度は、ヨウ素滴定法により求められた。以下にヨウ素滴定法を示す。
まず、試料を適量（５ｍｌ程度）試験管に採取し、そこに、１Ｎ硫酸溶液を２ｍｌ、１０％ヨウ化カリウム溶液を１ｍｌ、１％モリブデン酸アンモニウム溶液を１滴（約０．０５ｍｌ）添加した。このようにして、硫酸酸性下で残留過酸化水素の作用により遊離したヨウ素を、１／１００Ｎチオ硫酸ナトリウム溶液で滴定した。滴定によって得られた滴定値を元に、下記式を用いて残留過酸化水素濃度を求めた。
残留過酸化水素濃度（ｍｇ／Ｌ）
＝（（滴定値（ｍｌ）−盲検値（ｍｌ））×１７０／試料量（ｍｌ）
【００１７】
（実施例１）
ｐＨ７．０、過酸化水素濃度１０ｇ／Ｌの過酸化水素溶液を被処理液として用意し、この被処理液を６つに分注した。次いで、分注した各被処理液中のカタラーゼの添加濃度ｘがそれぞれ０ｇ／Ｌ、０．０１ｇ／Ｌ、０．０５ｇ／Ｌ、０．１ｇ／Ｌ、０．２５ｇ／Ｌ、０．５ｇ／ＬとなるようにＡｓｐｅｒｇｉｌｌｕｓ  ｎｉｇｅｒ由来のカタラーゼを添加し、温度条件２０℃、反応時間を３０分として過酸化水素の分解処理を行い、反応時間経過後の残留過酸化水素濃度を測定することにより、過酸化水素の分解率を求めた。カタラーゼの添加濃度ｘ、ｘｚ／ｙ、及び過酸化水素分解率を表１に示す。また、横軸をｘｚ／ｙ、縦軸を過酸化水素分解率としたグラフを図１に示す。
【００１８】
（実施例２）
ｐＨ７．０、過酸化水素濃度５ｇ／Ｌの過酸化水素溶液を被処理液として用意し、この被処理液を５つに分注した。次いで、分注した各被処理液中のカタラーゼの添加濃度ｘがそれぞれ０ｇ／Ｌ、０．０２５ｇ／Ｌ、０．０５ｇ／Ｌ、０．１２５ｇ／Ｌ、０．２５ｇ／ＬとなるようにＡｓｐｅｒｇｉｌｌｕｓ  ｎｉｇｅｒ由来のカタラーゼを添加し、温度条件２０℃、反応時間を３０分として過酸化水素の分解処理を行い、反応時間経過後の残留過酸化水素濃度を測定することにより、過酸化水素分解率を求めた。カタラーゼの添加濃度ｘ、ｘｚ／ｙ、及び過酸化水素分解率を表２に示す。また、横軸をｘｚ／ｙ、縦軸を過酸化水素分解率としたグラフを図２に示す。
【００１９】
（比較例１−１）
Ｔｈｅｒｍｏｍｙｃｅｓ  ｌａｎｕｇｉｎｏｓｕｓ由来のカタラーゼを用いたこと以外は実施例１と同様にして過酸化水素の分解を行い、反応時間経過後の残留過酸化水素濃度を測定することにより、過酸化水素分解率を求めた。カタラーゼの添加濃度ｘ、ｘｚ／ｙ、及び過酸化水素分解率を表１に示す。また、横軸をｘｚ／ｙ、縦軸を過酸化水素分解率としたグラフを図１に示す。
【００２０】
（比較例１−２）
Ｍｉｃｒｏｃｏｃｃｕｓ  ｌｙｓｏｄｅｉｋｔｉｃｕｓ由来のカタラーゼを用いたこと以外は実施例１と同様にして過酸化水素の分解を行い、反応時間経過後の残留過酸化水素濃度を測定することにより、過酸化水素分解率を求めた。カタラーゼの添加濃度ｘ、ｘｚ／ｙ、及び過酸化水素分解率を表１に示す。また、横軸をｘｚ／ｙ、縦軸を過酸化水素分解率としたグラフを図１に示す。
【００２１】
（比較例２−１）
Ｔｈｅｒｍｏｍｙｃｅｓ  ｌａｎｕｇｉｎｏｓｕｓ由来のカタラーゼを用いたこと以外は実施例２と同様にして過酸化水素の分解を行い、反応時間経過後の残留過酸化水素濃度を測定することにより、過酸化水素分解率を求めた。カタラーゼの添加濃度ｘ、ｘｚ／ｙ、及び過酸化水素分解率を表２に示す。また、横軸をｘｚ／ｙ、縦軸を過酸化水素分解率としたグラフを図２に示す。
【００２２】
（比較例２−２）
Ｍｉｃｒｏｃｏｃｃｕｓ  ｌｙｓｏｄｅｉｋｔｉｃｕｓ由来のカタラーゼを用いたこと以外は実施例２と同様にして過酸化水素の分解を行い、反応時間経過後の残留過酸化水素濃度を測定することにより、過酸化水素分解率を求めた。カタラーゼの添加濃度ｘ、ｘｚ／ｙ、及び過酸化水素分解率を表２に示す。また、横軸をｘｚ／ｙ、縦軸を過酸化水素分解率としたグラフを図２に示す。
【００２３】
（比較例３−１）
ｐＨ７．０、過酸化水素濃度１ｇ／Ｌの過酸化水素溶液を被処理液として用意し、この被処理液を６つに分注した。次いで、分注した被処理液中のカタラーゼの添加濃度ｘがそれぞれ０ｇ／Ｌ、０．００１ｇ／Ｌ、０．００５ｇ／Ｌ、０．０１ｇ／Ｌ、０．０２５ｇ／Ｌ、０．０５ｇ／ＬとなるようにＡｓｐｅｒｇｉｌｌｕｓ  ｎｉｇｅｒ由来のカタラーゼを添加し、温度条件２０℃、反応時間を３０分として過酸化水素の分解処理を行い、反応時間経過後の残留過酸化水素濃度を測定することにより、過酸化水素分解率を求めた。カタラーゼの添加濃度ｘ、ｘｚ／ｙ、及び過酸化水素分解率を表３に示す。また、横軸をｘｚ／ｙ、縦軸を過酸化水素分解率としたグラフを図３に示す。
【００２４】
（比較例３−２）
Ｔｈｅｒｍｏｍｙｃｅｓ  ｌａｎｕｇｉｎｏｓｕｓ由来のカタラーゼを用いたこと以外は比較例３−１と同様にして過酸化水素の分解を行い、反応時間経過後の残留過酸化水素濃度を測定することにより、過酸化水素分解率を求めた。カタラーゼの添加濃度ｘ、ｘｚ／ｙ、及び過酸化水素分解率を表３に示す。また、横軸をｘｚ／ｙ、縦軸を過酸化水素分解率としたグラフを図３に示す。
【００２５】
（比較例３−３）
Ｍｉｃｒｏｃｏｃｃｕｓ  ｌｙｓｏｄｅｉｋｔｉｃｕｓ由来のカタラーゼを用いたこと以外は比較例３−１と同様にして過酸化水素の分解を行い、反応時間経過後の残留過酸化水素濃度を測定することにより、過酸化水素分解率を求めた。カタラーゼの添加濃度ｘ、ｘｚ／ｙ、及び過酸化水素分解率を表３に示す。また、横軸をｘｚ／ｙ、縦軸を過酸化水素分解率としたグラフを図３に示す。
【００２６】
【表１】
2008279387.tif 000002
【００２７】
【表２】
2008279387.tif 000003
【００２８】
【表３】
2008279387.tif 000004
【００２９】
（評価）
表１に示すように、過酸化水素濃度を１０ｇ／Ｌとした被処理液の過酸化水素を３０分間で９５％以上分解するのに必要なカタラーゼ濃度は、比較例１−１、１−２では０．５ｇ／Ｌであったのに対して、実施例１では０．０５ｇ／Ｌを示した。すなわち、実施例１は、比較例１−１、１−２の１／１０程度のカタラーゼ添加量でも充分な過酸化水素分解能力を発揮することが確認された。
また、図１のグラフを見ても明らかなように、実施例１は、比較例１−１、１−２に比べて高い過酸化水素分解率を示した。特に、２５０≦ｘｚ／ｙ＜２５００においては、各比較例に比べて顕著な過酸化水素分解率を示した。
これにより、１０ｇ／Ｌもの高濃度の過酸化水素を含有した被処理液に対し、実施例１で用いたＡｓｐｅｒｇｉｌｌｕｓ属由来のカタラーゼは、他の微生物由来のカタラーゼに比べて、その添加量を大幅に少なくしても、優れた過酸化水素分解能力を有することが確認された。また反応時間３０分という限られた時間内であっても、優れた過酸化水素の分解処理能力を示し、過酸化水素を迅速に分解処理できることが確認された。
【００３０】
表２に示すように、過酸化水素濃度を５ｇ／Ｌとした被処理液の過酸化水素を、３０分間で９５％以上分解するのに必要なカタラーゼ濃度は、比較例２−１、２−２では０．２５ｇ／Ｌであったのに対して、実施例２では０．０２５ｇ／Ｌであった。すなわち、実施例２は、比較例２−１、２−２の１／１０程度の添加量でも充分な過酸化水素分解能力を発揮することが確認された。
また、図２のグラフを見ても明らかなように、実施例２は、比較例２−１、２−２に比べて高い過酸化水素分解率を示した。特に、２５０≦ｘｚ／ｙ＜２５００においては、各比較例に比べて極めて顕著な過酸化水素分解率を示した。
これにより、５ｇ／Ｌもの高濃度の過酸化水素を含有した被処理液に対し、実施例２で用いたＡｓｐｅｒｇｉｌｌｕｓ属由来のカタラーゼは、他の微生物由来のカタラーゼに比べて、その添加量を大幅に少なくしても、優れた過酸化水素分解能力を有することが確認された。また反応時間３０分という限られた時間内であっても、優れた過酸化水素の分解処理能力を示し、過酸化水素を迅速に分解処理できることが確認された。
【００３１】
表３に示すように、過酸化水素濃度を１ｇ／Ｌとした被処理液の過酸化水素を、３０分間で９５％以上分解するのに必要なカタラーゼ濃度は、比較例３−２及び比較例３−３では０．０５ｇ／Ｌであったのに対して、比較例３−１では０．０２５ｇ／Ｌであった。すなわち、比較例３−１で用いたＡｓｐｅｒｇｉｌｌｕｓ  ｎｉｇｅｒ由来のカタラーゼは、他の比較例で用いたカタラーゼに比べて、比較例３−２、３−３の１／２程度の添加量でも充分な過酸化水素分解能力を発揮することが確認されたが、１／１０程度の添加量まで低減するには至らなかった。
【産業上の利用可能性】
【００３２】
本発明の過酸化水素の分解処理方法によれば、過酸化水素濃度が高濃度（５ｇ／Ｌ以上）に含有される被処理液であっても、過酸化水素による反応阻害を受けにくいＡｓｐｅｒｇｉｌｌｕｓ属由来のカタラーゼを用いるため、カタラーゼを大量に添加する必要はなく、少ない添加量で迅速な過酸化水素の分解処理を行うことができる。また、カタラーゼの添加量が少なくて済むため、過酸化水素の分解処理を低コストに行うことができる。
【図面の簡単な説明】
【００３３】
【図１】過酸化水素濃度を１０ｇ／Ｌとした被処理液を各種カタラーゼで分解したときの過酸化水素分解率と、ｘｚ／ｙとの関係を示すグラフ。
【図２】過酸化水素濃度を５ｇ／Ｌとした被処理液を各種カタラーゼで分解したときの過酸化水素分解率と、ｘｚ／ｙとの関係を示すグラフ。
【図３】過酸化水素濃度を１ｇ／Ｌとした被処理液を各種カタラーゼで分解したときの過酸化水素分解率と、ｘｚ／ｙとの関係を示すグラフ。
【図１】
2008279387.tif 000005
【図２】
2008279387.tif 000006
【図３】
2008279387.tif 000007